(57)【要約】      （修正有）【課題】携帯電話の基地局や、基地局や中継局等に利用する送信増幅器等に使用し、基地局等に設けられた増幅ユニットとそれを制御する制御基板を接続する雄コネクタと雌コネクタから成るコネクタにおいて、適切な角度で雄コネクタと雌コネクタを挿入すること。【解決手段】内筒を覆うようにして外筒を設け、前記外筒の頭部と前記内筒の頭部の間に設けられた弾性体とより構成される雌コネクタと、前記雌コネクタの内筒に挿入する挿入部を有する雄コネクタとより構成されるコネクタ。【選択図】図５
2004327196.tif 000002
【特許請求の範囲】
【請求項１】
内筒を覆うようにして外筒を設け、
前記外筒の頭部と前記内筒の頭部の間に設けられた弾性体と
より構成される雌コネクタと、
前記雌コネクタの内筒に挿入する挿入部を有する雄コネクタ
とより構成されるコネクタ。
【発明の詳細な説明】
【０００１】
【発明の属する技術分野】
本発明は無線基地局や送信増幅器などに用いられる、複数の機器や回路を電気的に接続するための雌コネクタ及び雄コネクタに関するものである。
【０００２】
【従来の技術】
雌コネクタと雄コネクタの接続について図１を用いて説明する。
図１はコネクタの嵌合図である。
１１は挿入側のコネクタ、つまり雄コネクタであり、１２は受け側のコネクタ、つまり雌コネクタである。１３はケーブルであり、雄コネクタ１１にも図示しないケーブルが接続されている。ケーブル１３は例えば基地局制御用の基板や、増幅装置のユニットに接続されており、それら基板と増幅ユニット間の信号を電気的に伝達するものである。１４は固定部であり、基地局等に雌コネクタ１２を固定するためのものである。
【０００３】
このコネクタは、例えば特許文献１や特許文献２のユニットと図示しない制御基板を接続することに用いられる。
【０００４】
続いて従来コネクタの内部構造について図２を用いて説明する。図２は雌コネクタ１２の断面図である。２１は雌コネクタの内筒であり、２２は雌コネクタの外筒、２３はコイルバネ、１３は前述したケーブルである。内筒２１は内筒頭部２１１とコイルバネ押さえ部２１２より構成されている。
【０００５】
特にコイルバネ押さえ部２１２は、ケーブル１３が挿入される雌コネクタ外筒２２の底部２１４と対向するように設けられ、さらにコイルバネ２３が引っかかるほどの幅を設けている。内筒頭部２１１は雄コネクタ１１の挿入部が挿入される被挿入部を含めた部分である。外筒頭部２１３は、内筒頭部２１１と同様に、雄コネクタ１１の挿入部が挿入される側の部分である。雌コネクタ外筒２２の中に雌コネクタ内筒２１を設けたとき、外筒頭部２１３は内筒頭部２１１を覆うような関係となる。このとき、外筒頭部２１３と内筒頭部２１１の間には、雄コネクタ１１を受け入れやすくするために、雌コネクタ内筒２１が動くようなスペースを設けている。
【０００６】
ケーブル１３は、外筒底部２１４を通り、雌コネクタ内筒２１内に指しこまれている。このときケーブル１３は外筒底部２１４と接触する点では固定されておらず、雌コネクタ内筒２１のみに固定されている。
【０００７】
ここで、従来のコネクタの動きを図３を用いて説明する。
雌コネクタ１２は固定部１４により基地局等の筐体に固定されているが、ケーブル１３が雌コネクタ外筒２２の底部で固定されておらず、また内筒頭部２１１と外筒頭部２１３の間にスペースを設けているため内筒頭部２１１の被挿入部は自由度を持ってしまう。これは例えばユニットに設けた雄コネクタ１１を基地局等の筐体にはめるときの微妙なずれに対応するためである。筐体及びユニットを、ずれがないようにはめることは、設計上十分考慮されていることではあるが、現実的には筐体の大きさや形に微妙なずれがあり、それがユニットと筐体を接続するコネクタにおいては、うまくはまらないことにつながる。そこで、上記のように雌コネクタ１２に自由度を持たせ、さらにコイルバネ２３を設けることによりずれを吸収するようにしている。コイルバネ２３は雌コネクタ１２の自由度に応じて伸び縮みし、これにより自由度のある雌コネクタ頭部をある程度固定している。
【０００８】
コネクタの接続について、特許文献３に記載されている。さらに、コイルバネ２３の代わりに皿バネを用いた特許文献４が存在する。また、これに類似したものとして特許文献５、特許文献６が存在する。
【０００９】
【特許文献１】特開２００３−３７３７８
【特許文献２】特開２００１−９４２８１
【特許文献３】特開平６−３３８３６４（図１）
【特許文献４】特開２００１−５７２６８
【特許文献５】特開平９−２１９２６１
【特許文献６】特開２００２−１８４５３５
【００１０】
【発明が解決しようとする課題】
雄コネクタを雌コネクタに挿入するとき、本来ならば雄コネクタの挿入部と雌コネクタ１２の被挿入部には微妙なずれがあるものの、雌コネクタの被挿入部の挿入口と雄コネクタの挿入部はほぼ垂直の位置関係となる。これにより、スムーズな挿入が可能となる。
【００１１】
しかしながら、図４のように雌コネクタが急な角度になってしまう場合が現実にはある。雌コネクタ１２の頭部はケーブル１３の挿入角度に依存されるためである。ケーブル１３の挿入角度が急であれば、雌コネクタ１２の被挿入部の角度も急になってしまう。
被挿入部の角度が急になった場合、挿入部の角度とあまりにも異なるため、結果的に雄コネクタが雌コネクタに挿入できなくなってしまう問題があった。
【００１２】
本発明は上記問題に鑑み、雄コネクタの挿入を適切に行うために、雌コネクタ内筒の自由度を雄コネクタの挿入部に合わせた量に押さえることを目的としている。
【００１３】
【課題を解決するための手段】
上記問題を解決するために、本発明では内筒を覆うようにして外筒を設け、前記外筒の頭部と前記内筒の頭部の間に設けられた弾性体とより構成される雌コネクタと、前記雌コネクタの内筒に挿入する挿入部を有する雄コネクタとより構成されるコネクタを提供する。
【００１４】
これにより、雌コネクタ頭部の角度が押すコネクタの挿入に適した角度となる。
【００１５】
【発明の実施の形態】
次に、本発明の実施の形態について、図５を用いて説明する。従来ものと同様の番号のものは同様の構成であるため説明を省略する。本実施例では、従来のコネクタに対して、板バネ５１を追加した。
【００１６】
本発明の雌コネクタは、雌コネクタの内筒２１、雌コネクタの外筒２２、コイルバネ２３より構成される。１３はケーブルである。雌コネクタ内筒２１は内筒頭部２１１とコイルバネ押さえ部２１２より構成されている。雌コネクタ外筒２２は外筒頭部２１３と外筒底部２１４より構成されている。さらに内筒頭部２１１と外筒頭部２１３の間に板バネ５１を設けた。
【００１７】
これにより、ケーブル１３が急角度で挿入されても、雌コネクタ頭部２１１を板バネ５１が押さえるため、雌コネクタ頭部は固定される。これにより、雄コネクタの挿入部と雌コネクタ１２の被挿入部の間にほぼ垂直の位置関係となり、スムーズな挿入が可能となる。。
【００１８】
ここでは板バネと記載したがそれに限るものではなく、内筒頭部の動きをある程度押さえるもの、例えばゴム等であればよい。
【００１９】
【発明の効果】
本発明によれば、内筒頭部を板バネにより押さえているため、急な角度でケーブルが挿入された場合でも雄コネクタの挿入部と雌コネクタの挿入口がほぼ垂直となり、従来のコネクタより適切な嵌合が可能となる。
【図面の簡単な説明】
【図１】コネクタ接続イメージ図
【図２】従来のコネクタの内部
【図３】コネクタの動作
【図４】コネクタの動作
【図５】実施例のコネクタ
【符号の説明】
１１…雄コネクタ  １２…雌コネクタ  １３…ケーブル  ２２…雌コネクタ外筒２１…雌コネクタ内筒  ２３…コイルバネ  ５１…板バネ
【図１】
2004327196.tif 000003
【図２】
2004327196.tif 000004
【図３】
2004327196.tif 000005
【図４】
2004327196.tif 000006
【図５】
2004327196.tif 000007